(57)【特許請求の範囲】
【請求項１】
第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能な無線通信手段と、
周辺基地局から送信される無線信号を受信する受信手段と、
前記無線信号の受信結果を用いて、前記少なくとも１つの第２のセルに含まれる少なくとも１つのセルに割り当てられた周波数チャネルの前記周辺基地局による使用状況を推定する手段と、
前記使用状況に関する予め定められた条件が成立する場合に、前記少なくとも１つのセルの送信電力を前記第１のセルの送信電力に比べて低下させるよう前記無線通信手段を制御する電力比制御手段と、
を備える基地局。
【請求項２】
前記電力比制御手段は、前記周波数チャネルの前記周辺基地局による使用状況が所定の基準を超える場合に、前記少なくとも１つのセルの送信電力を低下させる、請求項１に記載の基地局。
【請求項３】
基地局であって、
第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能な無線通信手段と、
予め定められた条件が成立する場合に、前記少なくとも１つの第２のセルに含まれる少なくとも１つのセルの送信電力を前記第１のセルの送信電力に比べて低下させるよう前記無線通信手段を制御する電力比制御手段と、
を備え、
前記予め定められた条件は、構造物を透過して前記基地局の設置場所に到達する無線信号の透過損失量に関し、
前記電力比制御手段は、前記透過損失量の推定値が所定値を下回る場合に、前記少なくとも１つのセルの送信電力を低下させる、
基地局。
【請求項４】
基地局であって、
第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能な無線通信手段と、
予め定められた条件が成立する場合に、前記少なくとも１つの第２のセルに含まれる少なくとも１つのセルの送信電力を前記第１のセルの送信電力に比べて低下させるよう前記無線通信手段を制御する電力比制御手段と、
を備え、
前記予め定められた条件は、構造物を透過して前記基地局の設置場所に到達する無線信号の透過損失量に関し、
前記電力比制御手段は、前記透過損失量に応じて、前記少なくとも１つのセルと前記第１のセルとの送信電力比を変更する、
基地局。
【請求項５】
前記無線信号を受信する受信手段をさらに備え、
前記電力比制御手段は、前記無線信号の地上かつ屋外における受信電力の基準値を予め保持し、前記基準値と前記無線信号の受信電力レベルとの差に基づいて前記透過損失量を推定する、請求項３又は４に記載の基地局。
【請求項６】
前記電力比制御手段は、前記構造物の外側に漏洩する前記少なくとも１つのセルの漏洩電力が実質的に一定となるように、前記少なくとも１つのセルの送信電力を制御する請求項３〜５のいずれか１項に記載の基地局。
【請求項７】
前記電力比制御手段は、前記少なくとも１つのセルの送信電力を低下させる際に、前記少なくとも１つのセルにおける前記データ送信用の物理チャネルを用いたデータ送信を停止させる、請求項１〜６のいずれか１項に記載の基地局。
【請求項８】
前記電力比制御手段は、前記データ送信用の物理チャネルを用いた前記少なくとも１つのセルでのデータ送信を再開する場合に、送信を再開する所定時間前に前記少なくとも１つのセルの送信電力を増大させる、請求項７に記載の基地局。
【請求項９】
前記電力比制御手段は、前記データ送信用の物理チャネルを用いた前記少なくとも１つのセルでのデータ送信を再開する場合に、送信停止前に前記少なくとも１つのセルのために使用されていた周波数チャネルとは異なる周波数チャネルを用いる、請求項７又は８に記載の基地局。
【請求項１０】
前記少なくとも１つのセルと前記第１のセルとの送信電力比は、通信網を介して接続された外部の装置から供給される、請求項１〜９のいずれか１項に記載の基地局。
【請求項１１】
前記少なくとも１つのセルは、前記第１のセルに接続済みの移動局のみが接続可能なセルである、請求項１〜１０のいずれか１項に記載の基地局。
【請求項１２】
前記基地局は、前記２つのセルで同時に高速ダウンリンクパケットアクセス（HSDPA）の提供を行うデュアルセルHSDPA（DC-HSDPA）をサポートした基地局であって、
前記データ送信用の物理チャネルは、高速物理ダウンリンク共有チャネル（HS-PDSCH）であり、
前記第１のセルは、サービングHS-DSCHセルであり、
前記少なくとも１つのセルは、セカンダリ・サービングHS-DSCHセルである、
請求項１〜１１のいずれか１項に記載の基地局。
【請求項１３】
前記第１のセルと前記少なくとも１つの第２のセルとは、互いに異なる無線通信方式を用いて形成される、請求項１〜１１のいずれか１項に記載の基地局。
【請求項１４】
前記第１のセル及び前記少なくとも１つの第２のセルの各々に用いられる無線通信方式は、W-CDMA、モバイルWiMAX、およびLTE（Long Term Evolution）のいずれかである、請求項１〜１３のいずれか１項に記載の基地局。
【請求項１５】
第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能な基地局の送信電力の制御方法であって、
周辺基地局から送信される無線信号を受信すること、
前記無線信号の受信結果を用いて、前記少なくとも１つの第２のセルに含まれる少なくとも１つのセルに割り当てられた周波数チャネルの前記周辺基地局による使用状況を推定すること、
前記使用状況に関する予め定められた条件の成立を判定すること、及び、
前記予め定められた条件が成立する場合に、前記少なくとも１つのセルの送信電力を前記第１のセルの送信電力に比べて低下させるよう送信電力制御を行うこと、
を含む基地局の送信電力制御方法。
【請求項１６】
前記送信電力制御では、前記周波数チャネルの前記周辺基地局による使用状況が所定の基準を超える場合に、前記少なくとも１つのセルの送信電力を低下させる、請求項１５に記載の方法。
【請求項１７】
第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能な基地局の送信電力の制御方法であって、
予め定められた条件の成立を判定すること、及び、
前記予め定められた条件が成立する場合に、前記少なくとも１つの第２のセルに含まれる少なくとも１つのセルの送信電力を前記第１のセルの送信電力に比べて低下させるよう送信電力制御を行うこと、
を備え、
前記予め定められた条件は、構造物を透過して前記基地局の設置場所に到達する無線信号の透過損失量に関し、
前記送信電力制御では、前記透過損失量の推定値が所定値を下回る場合に、前記少なくとも１つのセルの送信電力を低下させる、
基地局の送信電力制御方法。
【請求項１８】
前記無線信号の地上かつ屋外における受信電力の基準値と前記無線信号の受信電力レベルとの差に基づいて前記透過損失量を推定することをさらに含む、請求項１７に記載の方法。
【請求項１９】
前記送信電力制御では、前記少なくとも１つのセルの送信電力を低下させる際に、前記少なくとも１つのセルにおける前記データ送信用の物理チャネルを用いたデータ送信を停止させる、請求項１５〜１８のいずれか１項に記載の方法。
【請求項２０】
前記データ送信用の物理チャネルを用いた前記少なくとも１つのセルでのデータ送信を再開する場合に、送信停止前に前記少なくとも１つのセルのために使用されていた周波数チャネルとは異なる周波数チャネルを用いる、請求項１９に記載の方法。
【請求項２１】
第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能な基地局機器用の処理装置であって、
周辺基地局から送信される無線信号の前記基地局機器における受信結果を用いて、前記少なくとも１つの第２のセルに含まれる少なくとも１つのセルに割り当てられた周波数チャネルの前記周辺基地局による使用状況を推定する手段と、
前記使用状況に関する予め定められた条件の成立を判定する手段と、
前記予め定められた条件が成立する場合に、前記少なくとも１つのセルの送信電力を前記第１のセルの送信電力に比べて低下させるよう送信電力制御を行う制御手段と、
を備える処理装置。
【請求項２２】
前記制御手段は、前記周波数チャネルの前記周辺基地局による使用状況が所定の基準を超える場合に、前記少なくとも１つのセルの送信電力を低下させる、請求項２１に記載の処理装置。
【請求項２３】
第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能な基地局機器用の処理装置であって、
予め定められた条件の成立を判定する手段と、
前記予め定められた条件が成立する場合に、前記少なくとも１つの第２のセルに含まれる少なくとも１つのセルの送信電力を前記第１のセルの送信電力に比べて低下させるよう送信電力制御を行う制御手段と、
を備え、
前記予め定められた条件は、構造物を透過して前記基地局機器の設置場所に到達する無線信号の透過損失量に関し、
前記制御手段は、前記透過損失量の推定値が所定値を下回る場合に、前記少なくとも１つのセルの送信電力を低下させる、
処理装置。
【請求項２４】
前記制御手段は、前記無線信号の地上かつ屋外における受信電力の基準値と前記無線信号の受信電力レベルとの差に基づいて前記透過損失量を推定する、請求項２３に記載の処理装置。
【請求項２５】
第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能な基地局機器に関する制御処理をコンピュータに実行させるためのプログラムであって、
前記制御処理は、
周辺基地局から送信される無線信号の前記基地局機器における受信結果を用いて、前記少なくとも１つの第２のセルに含まれる少なくとも１つのセルに割り当てられた周波数チャネルの前記周辺基地局による使用状況を推定すること、
前記使用状況に関する予め定められた条件の成立を判定すること、及び、
前記予め定められた条件が成立する場合に、前記少なくとも１つのセルの送信電力を前記第１のセルの送信電力に比べて低下させるよう送信電力制御を行うこと、
を含むプログラム。
【請求項２６】
前記送信電力制御では、前記周波数チャネルの前記周辺基地局による使用状況が所定の基準を超える場合に、前記少なくとも１つのセルの送信電力を低下させる、請求項２５に記載のプログラム。
【請求項２７】
第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能な基地局機器に関する制御処理をコンピュータに実行させるためのプログラムであって、
前記制御処理は、
予め定められた条件の成立を判定すること、及び、
前記予め定められた条件が成立する場合に、前記少なくとも１つの第２のセルに含まれる少なくとも１つのセルの送信電力を前記第１のセルの送信電力に比べて低下させるよう送信電力制御を行うこと、
を含み、
前記予め定められた条件は、構造物を透過して前記基地局機器の設置場所に到達する無線信号の透過損失量に関し、
前記送信電力制御では、前記透過損失量の推定値が所定値を下回る場合に、前記少なくとも１つのセルの送信電力を低下させる、
プログラム。
【請求項２８】
前記制御処理は、前記無線信号の地上かつ屋外における受信電力の基準値と前記無線信号の受信電力レベルとの差に基づいて前記透過損失量を推定することをさらに含む、請求項２７に記載のプログラム。
【請求項２９】
第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能な基地局装置と、
前記第１のセル及び前記少なくとも１つの第２のセルの各々で送信される前記データ送信用の物理チャネルを同時に受信可能な移動局とを備え、
前記基地局装置は、周辺基地局から送信される無線信号を受信し、前記少なくとも１つの第２のセルに含まれる少なくとも１つのセルに割り当てられた周波数チャネルの前記周辺基地局による使用状況を前記無線信号の受信結果を用いて推定するとともに、前記使用状況に関する予め定められた条件が成立する場合に、前記少なくとも１つのセルの送信電力を前記第１のセルの送信電力に比べて低下させる、通信システム。
【請求項３０】
前記基地局装置は、前記周波数チャネルの前記周辺基地局による使用状況が所定の基準を超える場合に、前記少なくとも１つのセルの送信電力を低下させる、請求項２９に記載の通信システム。
【発明の詳細な説明】
【技術分野】
【０００１】
本発明は、DC-HSDPA（Dual Cell-HSDPA operation）をサポートする基地局のように、周波数チャネルの異なる複数のセルを使用して１つの移動局に対するデータ送信を行う基地局の送信電力制御に関する。
【背景技術】
【０００２】
3GPP（3rd Generation Partnership Project）では、セル端の移動局の通信速度を高速化する技術の１つとして、既存のHSDPA（High Speed Downlink Packet Access）を用いたDC-HSDPAが検討されている。DC-HSDPAは、同じ周波数バンドに含まれる２つの周波数チャネル（各々５ＭＨｚ）を同時に使用することで、下り方向の高速化を図る。以下では、3GPPにおいて検討中のDC-HSDPAの概要について説明する。なお、現在提案されているDC-HSDPAの技術内容の詳細については、以下の非特許文献１〜３を参照されたい。【０００３】
DC-HSDPAでは、第２のサービングHS-DSCHセルは、"セカンダリ・サービングHS-DSCHセル"と呼ばれる。また、第１のサービングHS-DSCHセルは、単に"サービングHS-DSCHセル"と呼ばれている。セカンダリ・サービングHS-DSCHセルは、サービングHS-DSCHセルの生成を条件として従属的に形成される。なお、サービングHS-DSCHセルは、"プライマリキャリア"又は"ベースキャリア"と呼ばれる場合がある。また、セカンダリ・サービングHS-DSCHセルは、"セカンダリキャリア"又は"エクステンディッドキャリア"と呼ばれる場合がある。【０００４】
本明細書では、２つのサービングHS-DSCHセルの識別を明確にするため、第１のサービングHS-DSCHセルを"プライマリ・サービングHS-DSCHセル"と呼ぶ。また、以下では、プライマリ・サービングHS-DSCHセルを略して "プライマリセル"と呼び、セカンダリ・サービングHS-DSCHセルを略して"セカンダリセル"と呼ぶ場合がある。【０００５】
図２２は、DC-HSDPAをサポートする基地局（Node B）９１と移動局９２との間で、DC-HSDPAによるパケット通信を行うために使用される物理チャネルを示している。HS-PDSCHは、トランスポートチャネルHS-DSCHを転送するデータ送信用のダウンリンク物理チャネルである。HS-SCCHは、HS-DSCH転送に関するダウンリンクのシグナリング情報の送信に使用される。HS-DPCCHは、HS-DSCH転送に関するフィードバック情報を移動局９２から基地局９１に送信するために使用されるアップリンク物理チャネルである。当該フィードバック情報には、ハイブリッドARQ（Automatic repeat-request）に関するACK応答及びCQI（channel Quality Indication）が含まれる。アップリンクDPCH及びダウンリンクDPCHは、DC-HSDPAに関する制御情報の送受信に使用される。なお、プライマリセル及びセカンダリセルの生成に必須である他の共通物理チャネル（P-CPICH、SCH、P-CCPCH、S-CCPCHなど）も使用されることはもちろんである。以下に、省略表記された物理チャネル及びトランスポートチャネルの正式名称を示す。
P-CPICH：Primary Common Pilot Channel
DPCH：Dedicated Physical Channel
HS-DPCCH：Dedicated Physical Control Channel (uplink) for HS-DSCH
HS-DSCH：High Speed Downlink Shared Channel
HS-PDSCH：High Speed Physical Downlink Shared Channel
HS-SCCH：Shared Control Channel for HS-DSCH
P-CCPCH：Primary Common Control Physical Channel
S-CCPCH：Secondary Common Control Physical Channel
SCH：Synchronisation Channel【０００６】
DC-HSDPAをサポートする基地局において２つのサービングHS-DSCHセルが設定されている場合、セカンダリ・サービングHS-DSCHセルの有効化（activation）と無効化（deactivation）は、基地局によって切り替えられる。セカンダリ・サービングHS-DSCHセルの有効化および無効化を基地局から移動局（UE）に指示するためのコマンド（HS-SCCH Oder）は、下り制御チャネルであるHS-SCCHを用いて移動局に送信される。【０００７】
一方、携帯電話の普及による屋内での音声通信やデータ通信の需要の増大に伴い、利用者宅内、オフィス内などに設置可能な小型基地局の開発が進められている。この小型基地局は、例えば小型基地局の所有者によって宅内や小規模オフィス等に設置され、ADSL（Asymmetric Digital Subscriber Line）や光ファイバ回線を用いてコアネットワーク側の上位装置と接続される。3GPPは、このような小型基地局を"Home NodeB"及び"Home eNodeB"と定義して標準化作業を進めている（例えば非特許文献４を参照）。なお、"Home NodeB"はUMTS（Universal Mobile Telecommunications System）向けの小型基地局であり、"Home eNodeB"はLTE（Long Term Evolution）向けの小型基地局である。本明細書では、このような小型基地局を"ホーム基地局"と呼び、ホーム基地局によって生成されるセルを"ホームセル"と呼ぶ。
【先行技術文献】
【非特許文献】
【０００８】
【非特許文献１】3GPP, R1-084029, 25.211 CR0257R3 (Rel-8, B) "Introduction of Dual-Cell HSDPA Operation on Adjacent Carriers", 2008年10月
【非特許文献２】3GPP, R1-084030, 25.212 CR0267R3 (Rel-8, B) "Introduction of Dual-Cell HSDPA Operation on Adjacent Carriers", 2008年10月
【非特許文献３】3GPP, R1-084031, 25.214 CR0497R4 (Rel-8, B) "Introduction of Dual-Cell HSDPA Operation on Adjacent Carriers", 2008年10月
【非特許文献４】3GPP, TR25.820 V8.2.0, "3G Home NodeB Study Item Technical Report", 2008年9月
【発明の概要】
【発明が解決しようとする課題】
【０００９】
本願の発明者等は、ホーム基地局によるDC-HSDPAのサポートに関して実現妥当性の検討を行った。この結果、発明者等は、DC-HSDPAサポート時のホーム基地局の運用形態として、プライマリセル及びセカンダリセルに割り当てる周波数チャネルを予め固定的に定めておく運用形態を想定している。なぜなら、ホーム基地局に関しては、接続可能な移動局数が少数（例えば４台程度）に限定されることが予想されるためである。また、２つのサービングHS-DSCHセルに割り当てる周波数チャネルを移動局ごとに変えるためには、ホーム基地局に２つの送受信機を搭載する必要があり、加えて制御が複雑になることから、製造コストが上昇してしまうためである。【００１０】
プライマリセル及びセカンダリセルに割り当てる周波数チャネルを予め固定的に定めておく利用形態を考える。この場合、セカンダリセルが有効化され、セカンダリセルでのHS-DSCH転送が行われている場合には、プライマリセル及びセカンダリセルの各々においてHSPDAに関する物理チャネル群の送信が行われる（図２３Ａを参照）。一方、セカンダリセルでのHS-DSCH転送が行われていない場合には、HSPDAに関する物理チャネル群の送信は停止されるが、セカンダリセル用として割り当てられた周波数チャネル上でのP-CPICH等の共通物理チャネルの送信は継続されている（図２３Ｂを参照）。このため、セカンダリセルでのHS-DSCH転送が行われていない場合であっても、周辺に存在する他のマクロセル及びホームセルへの干渉が増大することが問題となる。ここで、マクロセルとは、既存の移動体通信網で使用される基地局によって形成されるセルである。【００１１】
本発明は、上述した問題点を考慮してなされたものであって、DC-HSDPAのように周波数チャネルの異なる複数のセルを使用して１つの移動局に対するデータ送信を行う基地局から周辺セルに及ぶ干渉を抑制することを目的とする。
【課題を解決するための手段】
【００１２】
本発明の第１の態様にかかる基地局は、無線通信部および電力比制御部を有する。前記無線通信部は、第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能である。また、前記電力比制御部は、予め定められた条件が成立する場合に、前記少なくとも１つの第２のセルに含まれる少なくとも１つのセルの送信電力を前記第１のセルの送信電力に比べて低下させるよう前記無線通信部を制御する。【００１３】
本発明の第２の態様にかかる方法は、第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能な基地局の送信電力の制御方法である。当該方法は、（ａ）予め定められた条件の成立を判定すること、及び、（ｂ）前記予め定められた条件が成立する場合に、前記少なくとも１つの第２のセルに含まれる少なくとも１つのセルの送信電力を前記第１のセルの送信電力に比べて低下させるよう送信電力制御を行うこと、を含む。【００１４】
本発明の第３の態様は、第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能な基地局機器用の処理装置である。当該処理装置は、予め定められた条件の成立を判定する手段と、前記予め定められた条件が成立する場合に、前記少なくとも１つの第２のセルに含まれる少なくとも１つのセルの送信電力を前記第１のセルの送信電力に比べて低下させるよう送信電力制御を行う制御手段とを有する。【００１５】
本発明の第４の態様は、第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能な基地局機器に関する制御処理をコンピュータに実行させるためのプログラムである。ここで、前記制御処理は、（ａ）予め定められた条件の成立を判定すること、及び、（ｂ）前記予め定められた条件が成立する場合に、前記少なくとも１つの第２のセルに含まれる少なくとも１つのセルの送信電力を前記第１のセルの送信電力に比べて低下させるよう送信電力制御を行うこと、を含む。【００１６】
本発明の第５の態様にかかる通信システムは、基地局装置及び移動局を含む。前記基地局装置は、第１のセル及び前記第１のセルとは異なる周波数チャネルを用いて前記第１のセルの形成を条件として従属的に形成される少なくとも１つの第２のセルを形成するとともに、前記第１のセル及び前記少なくとも１つの第２のセルの各々でデータ送信用の物理チャネルを送信可能である。前記移動局は、前記第１のセル及び前記少なくとも１つの第２のセルの各々で送信される前記データ送信用の物理チャネルを同時に受信可能である。さらに、前記基地局装置は、予め定められた条件が成立する場合に、前記少なくとも１つの第２のセルに含まれる少なくとも１つのセルの送信電力を前記第１のセルの送信電力に比べて低下させる。
【発明の効果】
【００１７】
上述した本発明の第１〜第５の態様によれば、DC-HSDPAのように周波数チャネルの異なる複数のセルを使用して１つの移動局に対するデータ送信を行う基地局から周辺セルに及ぶ干渉を抑制することができる。
【図面の簡単な説明】
【００１８】
【図１】発明の実施の形態１にかかるホーム基地局を含む通信システムに関する図である。
【図２】発明の実施の形態１にかかるホーム基地局の構成例を示すブロック図である。
【図３】図１に示した移動局の構成例を示すブロック図である。
【図４】セカンダリセル送信電力を変更する手順の一例を示すシーケンス図である。
【図５】セカンダリセル送信電力を変更する手順の他の例を示すシーケンス図である。
【図６】発明の実施の形態１にかかるホーム基地局が実行するセカンダリセルの送信電力の変更制御に関するフローチャートである。
【図７】セカンダリセルの有効化／無効化の切り替えに伴う移動局の動作を示すフローチャートである。
【図８】発明の実施の形態２にかかるホーム基地局の構成例を示すブロック図である。
【図９】セカンダリセル送信電力を変更する手順の一例を示すシーケンス図である。
【図１０】発明の実施の形態２にかかるホーム基地局が実行するセカンダリセルの送信電力の変更制御に関するフローチャートである。
【図１１】発明の実施の形態３にかかるホーム基地局の構成例を示すブロック図である。
【図１２】セカンダリセルの送信電力を変更する手順の一例を示すシーケンス図である。
【図１３】発明の実施の形態３にかかるホーム基地局が実行するセカンダリセルの送信電力の変更制御に関するフローチャートである。
【図１４】発明の実施の形態４にかかるホーム基地局の構成例を示すブロック図である。
【図１５】セカンダリセルの送信電力を決定し、セカンダリセルでのデータ送信（HS-DSCH）転送を開始する手順を示すシーケンス図である。
【図１６】発明の実施の形態４にかかるホーム基地局が実行するセカンダリセルの送信電力決定手順の一例を示すフローチャートである。
【図１７】発明の実施の形態５にかかるホーム基地局の構成例を示すブロック図である。
【図１８】セカンダリセルの利用停止と再開を行う手順の一例を示すシーケンス図である。
【図１９】発明の実施の形態５にかかるホーム基地局によって実行されるセカンダリセルの利用停止／再開手順の一例を示すフローチャートである。
【図２０】発明の実施の形態５にかかるホーム基地局によって実行されるセカンダリセルの利用停止／再開手順の一例を示すフローチャートである。
【図２１】セカンダリセルの有効化／無効化の切り替えに伴う移動局の動作を示すフローチャートである。
【図２２】DC-HSDPAによるパケット通信を行うために使用される物理チャネルを示す図である。
【図２３Ａ】デュアルセル運用時に送信される下り物理チャネルを示す図である。
【図２３Ｂ】セカンダリセルが無効化されているときに送信される下り物理チャネルを示す図である。
【発明を実施するための形態】
【００１９】
以下では、本発明を適用した具体的な実施の形態について、図面を参照しながら詳細に説明する。各図面において、同一要素には同一の符号が付されており、説明の明確化のため、必要に応じて重複説明は省略される。
【００２０】
＜発明の実施の形態１＞
図１は、本実施の形態にかかるホーム基地局１を含む無線通信システムの構成例を示す図である。なお、本実施の形態にかかる無線通信システムは、ＦＤＤ（Frequency division Duplex）−ＣＤＭＡ、より具体的にはＷ−ＣＤＭＡ方式の無線通信システムであるとして説明を行う。
【００２１】
ホーム基地局１は、ホームゲートウェイ（ホームＧＷ）７を介して移動体通信事業者のコアネットワーク８に接続されており、移動局６とコアネットワーク８との間でトラフィックを中継する。ホーム基地局１は、DC-HSDPAをサポートする基地局であり、周波数チャネルが互いに異なるプライマリセル及びセカンダリセルを生成する。ホーム基地局１は、プライマリセル及びセカンダリセルを形成するための共通物理チャネル（P-CPICH、SCH等）を送信するとともに、２つのサービングHS-DSCHセルの各々においてHS-DSCHを運ぶ物理チャネル（HS-PDSCH）を送信する。
【００２２】
また、ホーム基地局１は、セカンダリセルの送信電力をプライマリセルの送信電力に比べて増減することが可能である。ホーム基地局１は、コアネットワーク８からホームＧＷ７を介して供給される電力比情報による指示に応じて、セカンダリセルとプライマリセルの送信電力比を変更する。以下では、ホーム基地局１の構成例と送信電力比の変更手順の詳細について順に説明する。
【００２３】
なお、図１では、１つのセカンダリセルのみを図示しているが、ホーム基地局１が形成するセカンダリセル数は２つ以上であってもよい。本実施の形態では、説明の便宜のためにホーム基地局１が形成するセカンダリセルの数が１つであるとして説明を行う。
【００２４】
図２は、ホーム基地局１の構成例を示すブロック図である。図２において、無線通信部１１は、移動局６から送信されたアップリンク信号をアンテナ１０を介して受信する。受信データ処理部１２は、受信されたアップリンク信号の逆拡散、ＲＡＫＥ合成、デインタリービング、チャネル復号、エラー訂正等の各処理を行って受信データを復元する。得られた受信データは、有線通信部１４を経由してホームＧＷ７に転送される。なお、ホーム基地局による自律的な無線リソース制御のために、ホーム基地局にＲＮＣ機能を持たせることが検討されている。よって、ホーム基地局１にＲＮＣ機能を持たせてもよい。ホーム基地局１にＲＮＣ機能を持たせる場合、受信データ処理部１２によって得られた受信データが移動局６−１の位置登録要求や無線チャネル確立要求であれば、これらの制御を実行するために当該受信データは、ホーム基地局１が有するＲＮＣ機能部（不図示）に送られる。
【００２５】
送信データ処理部１３は、移動局６に向けて送信される送信データを有線通信部１４から取得し、誤り訂正符号化、レートマッチング、インタリービング等を行なってトランスポートチャネルを生成する。さらに、送信データ処理部１３は、トランスポートチャネルのデータ系列にＴＰＣ（Transmit Power Control）ビット等の制御情報を付加して無線フレームを生成する。また、送信データ処理部１３は、拡散処理、シンボルマッピングを行って送信シンボル列を生成する。無線通信部１１は、送信シンボル列の直交変調、周波数変換、信号増幅等の各処理を行ってダウンリンク信号を生成し、これを移動局６に送信する。
【００２６】
電力比制御部１５は、コアネットワーク８から通知される電力比情報を有線通信部１４を介して取得する。電力比制御部１５は、取得した電力比情報に基づいて、セカンダリセルとプライマリセルの送信電力比の変更を無線通信部１１に指示する。
【００２７】
図３は、移動局６の構成例を示すブロック図である。無線通信部６１は、アンテナ６０を介してダウンリンク信号を受信する。受信データ処理部６２は受信されたダウンリンク信号から復元した受信データをバッファ部６６に送る。バッファ部６６に格納された受信データは読み出され、その目的に応じて利用される。また、送信データ処理部６３及び無線通信部６１は、バッファ部６６に格納された送信データを用いてアップリンク信号を生成し、基地局１に向けて送信する。
【００２８】
受信制御部６４は、DC-HSDPAに関する制御情報を受信データ処理部６２から取得する。ここで、DC-HSDPAに関する制御情報には、セカンダリセルの有効化／無効化を示す情報が含まれる。上述したように、セカンダリセルの有効化／無効化は、HS-SCCHを用いて基地局１から指示される。受信制御部６４は、セカンダリセルの有効化／無効化の設定に応じて、セカンダリセルの受信開始／停止を受信データ処理部６２に指示する。また、受信制御部６４は、セカンダリセルの有効化／無効化の設定に応じて、セカンダリセルに関するフィードバック情報（HARQ ACK応答、CQI）の送信開始／停止を送信データ制御部６５に指示する。送信データ制御部６５は、プライマリセル及びセカンダリセルによるHS-DSCHの受信状況を監視し、HS-DSCH転送に関するフィードバック情報を生成する。送信データ制御部６５によって生成されたフィードバック情報は、HS-DPCCHを用いて基地局１に送信される。
【００２９】
続いて以下では、セカンダリセル送信電力の変更手順の具体例について図４〜７を参照して説明する。図４は、デュアルセル運用中にセカンダリセル送信電力を変更する手順の一例を示すシーケンス図である。図４は、ホームＧＷ７、ホーム基地局１及び移動局６の相互作用を示しており、図中の「ＧＷ」はホームＧＷ７に対応し、「ＨＮＢ」はホーム基地局１に対応し、「ＵＥ」は移動局６に対応する。
【００３０】
ステップＳ１０１及びＳ１０２では、プライマリセルのP-CPICH及びHSDPAに関する物理チャネル群が送信される。図中の「HSDPA @ PRIMARY CELL」によって示される物理チャネル群には、ダウンリンクHS-SCCH、ダウンリンクHS-PDSCH、及びアップリンクHS-DPCCHが含まれる。ステップＳ１０３及びＳ１０４では、セカンダリセルのP-CPICH及びHSDPAに関する物理チャネル群が送信される。図中の「HSDPA @ SECONDARY CELL」によって示される物理チャネル群には、ダウンリンクHS-SCCHおよびダウンリンクHS-PDSCHが含まれる。なお、ステップＳ１０１〜Ｓ１０４の記載順序は便宜的なものであり、これらの物理チャネルはSCHを基準とする所定のタイミング関係に従って送信される。
【００３１】
ステップＳ１０５では、ホームＧＷ７からホーム基地局１へ新たな電力比情報が通知される。当該通知に応答して、ホーム基地局１は、電力比情報で示される送信電力比となるように、セカンダリセルの送信電力を変更する。電力比情報がセカンダリセルの送信電力の低下を示す場合、ホーム基地局１は、セカンダリセルの送信電力を低減する。ステップＳ１０７〜Ｓ１１０では、変更された送信電力比に従って、プライマリセル及びセカンダリセルにおける物理チャネルの送信が行われる。
【００３２】
図５は、セカンダリセルの送信電力を変更する手順の他の例を示すシーケンス図である。図５は、送信電力比をゼロとする場合、つまり、セカンダリセルの生成を停止する場合を示している。図５中のステップＳ１０１〜Ｓ１０４は、上述した図４と共通である。ステップＳ２０５では、電力比ゼロを示す電力比情報がホームＧＷ７からホーム基地局１へ通知される。ステップＳ２０６では、ホーム基地局１が、セカンダリセルのHS-PDSCHによるデータ送信を停止する。ステップＳ２０７では、ホーム基地局１が移動局６にセカンダリセルの無効化（deactivation）を通知する。セカンダリセルの無効化および有効化は、例えばHS-SCCH ORDERを用いて通知すればよい。また、ホーム基地局１は、RRC MESSAGEを送信することによってセカンダリセルの無効化および有効化を移動局６に通知してもよい。RRC MESSAGEのメッセージ構造等の詳細については、3GPP TS 25.331 V8.4.0 (2008-09) "Radio Resource Control (RRC)"を参照されたい。ステップＳ２０８〜Ｓ２０９では、プライマリセルにてP-CPICH及びHSDPAに関する物理チャネル群が送信される。
【００３３】
次に、ステップＳ２１０〜Ｓ２１６は、電力比をゼロ以外とする新たな電力比情報の受信に応じて、セカンダリセルによるHS-DSCH転送を再開する手順である。ステップＳ２１０では、電力比ゼロ以外を示す電力比情報がホームＧＷ７からホーム基地局１へ通知される。ステップＳ２１１では、ホーム基地局１が、セカンダリセルのP-CPICHの送信を再開する。ステップＳ２１２〜Ｓ２１３では、プライマリセルのP-CPICH及びHSDPAに関する物理チャネル群が送信される。ステップＳ２１４では、セカンダリセルのP-CPICHが送信される。セカンダリセルのP-CPICHの送信再開から所定時間（図５ではＴ１）経過した後に、電力比制御部１５は、HS-SCCH ORDER又はRRC MESSAGEを用いて移動局６にセカンダリセルの有効化（activation）を通知する（ステップＳ２１５）。なお、セカンダリセルを有効化する時間情報をHS-SCCH ORDER又はRRC MESSAGEの中に含めて送信してもよい。ステップＳ２１６では、セカンダリセルにてHSDPAに関する物理チャネル群が送信される。
【００３４】
図６は、ホーム基地局１が実行するセカンダリセルの送信電力の変更制御に関するフローチャートである。ステップＳ３０１では、電力比制御部１５が、電力比情報の受信有無を判定する。ホームＧＷ７から電力比情報を受信していない場合（Ｓ３０１でＮＯ）、電力比制御部１５はステップＳ３０１の判定を繰り返し実行する。一方、ホームＧＷ７から電力比情報を受信した場合（Ｓ３０１でＹＥＳ）、電力比制御部１５は、電力比情報の内容が電力比ゼロを示すか否かを判定する（ステップＳ３０２）。電力比情報が電力比ゼロを示す場合（ステップＳ３０２でＹＥＳ）、電力比制御部１５は、セカンダリセルでのHS-PDSCHによるデータ送信を停止させる（ステップＳ３０３）。さらに、電力比制御部１５は、セカンダリセルの無効化を移動局６に通知し（ステップＳ３０４）、セカンダリセルのP-CPICHの送信を停止させる（ステップＳ３０５）。
【００３５】
一方、電力比情報が示す電力比がゼロでない場合（ステップＳ３０２でＮＯ）、電力比制御部１５はデュアルセル運用中であるか否かを判定する（ステップＳ３０６）。デュアルセル運用中である場合（ステップＳ３０６でＹＥＳ）、電力比制御部１５は、送信電力の更新値を無線通信部１１に通知し、セカンダリセルの送信電力を変更させる（ステップＳ３０７）。デュアルセル運用中でない場合（ステップＳ３０６でＮＯ）、電力比制御部１５は、セカンダリセルのP-CPICHの送信を開始させ、セカンダリセルの有効化を移動局６に通知し、セカンダリセルのHS-PDSCHを用いたデータ送信を開始させる（ステップＳ３０８〜３１０）。
【００３６】
図７は、セカンダリセルの有効化／無効化の切り替えに伴う移動局６の動作を示すフローチャートである。ステップＳ４０１では、受信制御部６４が、セカンダリセルに関する制御情報の受信有無を判定する。セカンダリセルの「無効化」を示す制御情報を受信した場合、受信制御部６４は、受信データ処理部１２によるセカンダリセルの受信を停止させる（ステップＳ４０２）。一方、セカンダリセルの「有効化」を示す制御情報を受信した場合、受信制御部６４は、受信データ処理部１２によるセカンダリセルの受信を開始させる（ステップＳ４０３）。
【００３７】
上述したように、本実施の形態にかかるホーム基地局１は、コアネットワーク８からの送信電力比の指示に応じて、セカンダリセルの送信電力を変更可能である。このため、セカンダリセルから周辺セルへの干渉を抑制する必要がある場合に、セカンダリセルの送信電力を低下させることができる。
【００３８】
ところで、上述した電力比制御部１５が行う電力比変更処理は、ＡＳＩＣ、ＤＳＰ等の半導体処理装置を用いて実現してもよい。また、電力比制御部１５が行う電力比変更処理は、図６を用いて説明した変更手順を記述した制御プログラムをマイクロプロセッサ等のコンピュータに実行させることによって実現してもよい。この制御プログラムは、様々な種類の記憶媒体に格納することが可能であり、また、通信媒体を介して伝達されることが可能である。ここで、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等が含まれる。また、通信媒体には、電話回線等の有線通信媒体、マイクロ波回線等の無線通信媒体等が含まれ、インターネットも含まれる。
【００３９】
＜発明の実施の形態２＞
本実施の形態では、発明の実施の形態１で述べたホーム基地局１による電力比変更処理の変形例について説明する。本実施の形態にかかるホーム基地局２は、移動局６への送信データ量が少ない場合に、セカンダリセルを用いたHS-DSCH転送を停止し、セカンダリセルの送信電力を低下させる。
【００４０】
図８は、ホーム基地局２の構成例を示すブロック図である。図８中のアンテナ１０、無線通信部１１、受信データ処理部１２、有線通信部１４の機能及び動作は、図２に示した対応する構成要素と同様とすればよい。
【００４１】
送信データ処理部２３は、上述した送信データ処理部１３が行う信号処理に加えて、送信バッファ（不図示）に蓄積された送信データ量を電力比制御部２５に通知する。電力比制御部２５は、送信データ処理部２３から通知される送信データ量に基づいて、セカンダリセルとプライマリセルの送信電力比の変更を判定する。具体的には、電力比制御部２５は、送信データ量が予め定められた閾値を下回る場合に、セカンダリセルによるHS-DSCH転送の停止を決定し、セカンダリセルの送信電力を低下させればよい。
【００４２】
図９は、デュアルセル運用中にセカンダリセルの送信電力を変更する手順の一例を示すシーケンス図である。ステップＳ５０１〜Ｓ５０４は、上述した図４のステップＳ１０１〜１０４と同様である。ステップＳ５０５では、電力比制御部２５が送信データ量を測定する。
【００４３】
ステップＳ５０６は、送信データ量が閾値を下回る場合を示している。すなわち、電力比制御部２５は、セカンダリセルでのデータ送信（HS-DSCH転送）の停止を判定する。ステップＳ５０７では、電力比制御部２５が、HS-SCCH ORDER又はRRC MESSAGEを用いて移動局６にセカンダリセルの無効化（deactivation）を通知する。ステップＳ５０８〜Ｓ５０９では、プライマリセルにてP-CPICH及びHSDPAに関する物理チャネル群が送信される。ステップＳ５１０では、送信電力を低下させたP-CPICHがセカンダリセルにて送信される。なお、電力比設定がゼロである場には、セカンダリセルのP-CPICHの送信も停止すればよい。セカンダリセルでのデータ送信（HS-DSCH転送）を停止する際のセカンダリセルとプライマリセルとの電力比を定める情報は、ホーム基地局２に予め保持させてもよいし、ホームＧＷ７を経由してコアネットワーク８からホーム基地局２に供給されてもよい。
【００４４】
ステップＳ５１１では、電力比制御部２５が送信データ量を測定する。ステップＳ５１２は、送信データ量が閾値を上回る場合を示している。すなわち、電力比制御部２５は、セカンダリセルでのデータ送信（HS-DSCH転送）の開始を判定する。ステップＳ５１３〜Ｓ５１４では、プライマリセルのP-CPICH及びHSDPAに関する物理チャネル群が送信される。ステップＳ５１５では、送信電力を増大させたセカンダリセルのP-CPICHが送信される。P-CPICHの送信再開から所定時間（図９ではＴ１）経過した後に、電力比制御部２５は、HS-SCCH ORDER又はRRC MESSAGEを用いて移動局６にセカンダリセルの有効化（activation）を通知する（ステップＳ５１６）。ステップＳ５１７では、セカンダリセルにてHSDPAに関する物理チャネル群が送信される。なお、ステップＳ５０７での送信停止判定に用いる閾値と、ステップＳ５１２での送信開始判定に用いる閾値は異なる値であってもよい。
【００４５】
図１０は、ホーム基地局２が実行するセカンダリセルの送信電力の変更制御に関するフローチャートである。ステップＳ６０１では、電力比制御部２５は、HS-PDSCHで送信される送信データ量Ｄ＿ＴＸを測定する。ステップＳ６０２では、電力比制御部２５は、送信データ量Ｄ_ＴＸが閾値Ｄ＿ＴＨを下回るか否かを判定する。送信データ量Ｄ＿ＴＸが閾値Ｄ＿ＴＨを下回る場合（ステップＳ６０２でＹＥＳ）、電力比制御部２５は、セカンダリセルでのHS-PDSCHによるデータ送信を停止する（ステップＳ６０３）。さらに、電力比制御部２５は、セカンダリセルの無効化を移動局６に通知し（ステップＳ６０４）、セカンダリセルのP-CPICHの送信電力を減少させる（ステップＳ６０５）。
【００４６】
一方、送信データ量Ｄ＿ＴＸが閾値Ｄ＿ＴＨを上回る場合（ステップＳ６０２でＮＯ）、電力比制御部２５はデュアルセル運用中であるか否かを判定する（ステップＳ６０６）。デュアルセル運用中である場合（ステップＳ６０６でＹＥＳ）、電力比制御部２５は、ステップＳ６０１に戻る。デュアルセル運用中でない場合（ステップＳ６０６でＮＯ）、電力比制御部２５は、セカンダリセルのP-CPICHの送信電力を増加させ、セカンダリセルの有効化を移動局６に通知し、セカンダリセルのHS-PDSCHを用いたデータ送信を開始する（ステップＳ６０７〜Ｓ６０９）。
【００４７】
上述したように、本実施の形態にかかるホーム基地局２は、送信データ量に応じて、セカンダリセルの送信電力を変更可能である。このため、送信データ量が少ない場合にセカンダリセルの運用を停止し、周辺セルへの干渉を抑制でき、ホーム基地局２の消費電力を抑制できる。
【００４８】
なお、発明の実施の形態１で述べたのと同様に、電力比制御部２５が行う電力比変更処理は、ＡＳＩＣ、ＤＳＰ、マイクロプロセッサ等を用いて実現してもよい。
【００４９】
＜発明の実施の形態３＞
本実施の形態にかかるホーム基地局３は、セカンダリセル用に割り当てられた周波数チャネルの周辺セルでの使用状況を測定する。そして、基地局３は、周辺セルの使用状況が高い場合に、セカンダリセルを用いたHS-DSCH転送を停止し、セカンダリセルの送信電力を低下させる。
【００５０】
図１１は、ホーム基地局３の構成例を示すブロック図である。図１１中のアンテナ１０、無線通信部１１、受信データ処理部１２、送信データ処理部１３、有線通信部１４の機能及び動作は、図２に示した対応する構成要素と同様とすればよい。
【００５１】
移動局モード受信部３６は、周辺セルを形成する他の基地局から送信される無線信号を受信する。なお、移動局モード受信部３６の受信回路は、無線通信部１１の受信回路と兼用されてもよい。測定情報処理部３７は、移動局モード受信部３６による受信結果を用いて、セカンダリセル用に割り当てられた周波数チャネルの周辺セルでの使用状況を評価するための計測値を算出する。例えば、測定情報処理部３７は、セカンダリセル用に割り当てられた周波数チャネルのＲＳＳＩ（Received signal strength indicator）と、他セルからのP-CPICHのＲＳＣＰ（Received Signal Code Power）を求めればよい。また、ＲＳＳＩ及びＲＳＣＰからＥｃ／Ｉｏ等の他の計測値を計算してもよい。ＲＳＳＩ及びＲＳＣＰ等を計測するためには、ホーム基地局３の送信動作を間欠的に停止させ、ホーム基地局３による送信が行われていない時間帯において移動局モード受信部３６が選択的に受信動作を行えばよい。
【００５２】
電力比制御部３５は、測定情報処理部３７によって得られたＲＳＣＰ、ＲＳＳＩ、Ｅｃ／Ｉｏ等の計測値を用いて、セカンダリセル用に割り当てられた周波数チャネルの周辺セルでの使用状況を評価する。そして、電力比制御部３５は、周辺セルでの使用状況が基準値を超える場合に、セカンダリセルによるHS-DSCH転送の停止を決定し、セカンダリセルの送信電力を低下させる。セカンダリセル用に割り当てられた周波数チャネルの周辺セルでの使用状況が基準値を超える場合にセカンダリセルでのＨＳＤＰＡの提供を続けると、周辺セルに属する移動局の干渉レベルが増大し、受信品質が低下するおそれがあるためである。ホーム基地局３は、周辺セル及びプライマリセルに比べて相対的に優先度の低いセカンダリセルの送信電力を低下させることで、周辺セルに属する移動局の干渉レベルの増大を抑制する。
【００５３】
ＲＳＣＰ、ＲＳＳＩ、Ｅｃ／Ｉｏ等の計測値を参照してセカンダリセルの送信電力を低下させる判定条件の一例を以下に示す。例えば、以下の（１）式に示す条件が成立する場合に、セカンダリセルによるHS-DSCH転送を停止し、送信電力を低下させればよい。
ＲＳＳＩ − α×ＲＳＣＰ ＞ β  ・・・・・（１）
ここで、α及びβは正の値である。α及びβは、コアネットワーク８から供給されてもよいし、ホーム基地局３に予め保持させてもよい。（１）式の左辺（ＲＳＳＩ − α×ＲＳＣＰ）は、周辺セルに多くの移動局が接続している場合や、周辺セルにおいて拡散コードの使用率の高い高速通信サービス（HSDPA等）が提供されている場合に大きくなる。つまり、（ＲＳＳＩ − α×ＲＳＣＰ）は、周辺セルに属する移動局が受信するダウンリンク信号の干渉レベルを示す量である。言い換えると、（ＲＳＳＩ − α×ＲＳＣＰ）は、周辺セルにおける周波数チャネルの使用状況の大きさを表している。
【００５４】
図１２は、デュアルセル運用中にセカンダリセルの送信電力を変更する手順の一例を示すシーケンス図である。ステップＳ７０１〜Ｓ７０４は、上述した図４のステップＳ１０１〜１０４と同様である。ステップＳ７０５では、移動局モード受信部３６が周辺セルからの信号を受信する。
【００５５】
ステップＳ７０６は、セカンダリセル用に割り当てられた周波数チャネルの周辺セルでの使用状況が基準値を超える場合を示している。すなわち、電力比制御部３５は、セカンダリセルでのデータ送信（ＨＳ−DSCH転送）の停止を判定する。ステップＳ７０７では、電力比制御部３５が、HS-SCCH ORDER又はRRC MESSAGEを用いて移動局６にセカンダリセルの無効化（deactivation）を通知する。ステップＳ７０８〜Ｓ７０９では、プライマリセルにてP-CPICH及びHSDPAに関する物理チャネル群が送信される。ステップＳ７１０では、送信電力を低下させたP-CPICHがセカンダリセルにて送信される。なお、電力比設定がゼロである場には、セカンダリセルのP-CPICHの送信も停止すればよい。セカンダリセルでのデータ送信（ＨＳ−DSCH転送）を停止する際のセカンダリセルとプライマリセルとの電力比情報は、ホーム基地局３に予め保持させてもよいし、ホームＧＷ７を経由してコアネットワーク８からホーム基地局３に供給されてもよい。
【００５６】
ステップＳ７１１では、移動局モード受信部３６が周辺セルからの信号を受信する。ステップＳ７１２は、セカンダリセル用に割り当てられた周波数チャネルの周辺セルでの使用状況が基準値を下回る場合を示している。すなわち、電力比制御部３５は、セカンダリセルでのデータ送信（ＨＳ−DSCH転送）の開始を判定する。ステップＳ７１３〜Ｓ７１４では、プライマリセルのP-CPICH及びHSDPAに関する物理チャネル群が送信される。ステップＳ７１５では、送信電力を増大させたセカンダリセルのP-CPICHが送信される。セカンダリセルのP-CPICHの送信再開から所定時間（図１２ではＴ１）経過した後に、電力比制御部３５は、HS-SCCH ORDER又はRRC MESSAGEを用いて移動局６にセカンダリセルの有効化（activation）を通知する（ステップＳ７１６）。ステップＳ７１７では、セカンダリセルにてHSDPAに関する物理チャネル群が送信される。
【００５７】
図１３は、ホーム基地局３が実行するセカンダリセルの送信電力の変更制御に関するフローチャートである。ステップＳ８０１では、移動局モード受信部３６及び測定情報処理部３７が、セカンダリセル用に割り当てられた周波数チャネルの周辺セルでの使用状況を計測する。ステップＳ８０２では、周辺セルによる使用状況が基準を超えるか否かを判定する。周辺セルによる使用状況が基準を超える場合、電力比制御部３５は、セカンダリセルでのHS-PDSCHによるデータ送信を停止する（ステップＳ８０３）。さらに、電力比制御部３５は、セカンダリセルの無効化を移動局６に通知し（ステップＳ８０４）、セカンダリセルのP-CPICHの送信電力を減少させる（ステップＳ８０５）。なお、周辺セルによる使用状況が基準を超える場合に、セカンダリセルでのHS-PDSCHによるデータ送信を継続させてもよい。この場合、ステップＳ８０３及びＳ８０４を省略し、セカンダリセルのP-CPICHの送信電力の低下（ステップＳ８０５）を行えばよい。
【００５８】
一方、周辺セルによる使用状況が基準を下回る場合（ステップＳ８０２でＮＯ）、電力比制御部３５はデュアルセル運用中であるか否かを判定する（ステップＳ８０６）。デュアルセル運用中である場合（ステップＳ８０６でＹＥＳ）、電力比制御部３５は、ステップＳ８０１に戻る。デュアルセル運用中でない場合（ステップＳ８０６でＮＯ）、電力比制御部３５は、セカンダリセルのP-CPICHの送信電力を増加させ、セカンダリセルの有効化を移動局６に通知し、セカンダリセルのHS-PDSCHを用いたデータ送信を開始する（ステップＳ８０７〜Ｓ８０９）。
【００５９】
上述したように、本実施の形態にかかるホーム基地局３は、セカンダリセル用に割り当てられた周波数チャネルの周辺セルでの使用状況が基準を超える場合に、セカンダリセルの送信電力を低下させる。このため、ホーム基地局３は、周辺セル及びプライマリセルに比べて相対的に優先度の低いセカンダリセルの送信電力を低下させることで、周辺セルに属する移動局の干渉レベルの増大を抑制することができる。
【００６０】
なお、発明の実施の形態１で述べたのと同様に、電力比制御部３５が行う電力比変更処理は、ＡＳＩＣ、ＤＳＰ、マイクロプロセッサ等を用いて実現してもよい。
【００６１】
＜発明の実施の形態４＞
本実施の形態にかかるホーム基地局４は、屋外から構造物を透過してホーム基地局４の設置場所に到達する無線信号の透過損失量に基づいて、セカンダリセルの送信電力を決定する。屋外から構造物を透過して到達する無線信号の一例は、ＧＰＳ（Global Positioning System）衛星から送信されるＧＰＳ信号である。
【００６２】
図１４は、ホーム基地局４の構成例を示すブロック図である。図１４中のアンテナ１０、無線通信部１１、受信データ処理部１２、送信データ処理部１３、有線通信部１４の機能及び動作は、図２に示した対応する構成要素と同様とすればよい。
【００６３】
移動局モード受信部４６は、周辺セルを形成する基地局から送信されているP-CPICHの受信電力Pmacroを測定する。また、ＧＰＳ受信部４７は、ＧＰＳ信号の受信電力Pgpsを測定する。
【００６４】
送信電力決定部４８は、移動局モード受信部４６が測定したPmacroの通知を受け取ると共に、ＧＰＳ受信部４７が測定したPgpsの通知を受け取り、セカンダリセルの送信電力を決定し、これを電力比制御部４５に通知する。
【００６５】
電力比制御部４５は、送信電力決定部４８により決定されたセカンダリセルの送信電力を無線通信部１１に通知する。
【００６６】
図１５は、セカンダリセルの送信電力を決定し、セカンダリセルでのデータ送信（HS-DSCH）転送を開始する手順を示すシーケンス図である。ステップＳ９０１では、ＧＰＳ信号受信部９０１がＧＰＳ信号の受信電力Pgpsを測定する。これと並行して、移動局モード受信部４６は、周辺セルを形成する基地局から送信されているP-CPICHの受信電力Pmacroを測定する。
【００６７】
ステップＳ９０２では、送信電力決定部４８が、Pgps及びPmacroを用いてセカンダリセルの送信電力を決定する。
【００６８】
ステップＳ９０３では、電力比制御部４５が、HS-SCCH ORDER又はRRC MESSAGEを用いて移動局６にセカンダリセルの有効化（activation）を通知する。ステップＳ９０４〜Ｓ９０７では、プライマリセルのP-CPICH及びHSDPAに関する物理チャネル群、並びにセカンダリセルのP-CPICH及びHSDPAに関する物理チャネル群が送信される。
【００６９】
図１６は、セカンダリセルの送信電力決定手順の一例を示すフローチャートである。ステップＳ１００１では、移動局モード受信部４６が、周辺セルからのP-CPICHの受信電力Pmacroを測定する。ホーム基地局４は、Pmacroの測定を実施するときには、全ての無線信号の送信を停止し、周辺セルから送信されるP-CPICHを受信する移動局モードとなる。なお、このフロー図でのPmacroなどの記号は全てデシベル値である。
【００７０】
ステップＳ１００２では、ＧＰＳ信号の受信電力Pgpsを測定する。なお、図１６では、便宜上、ステップＳ１００１及びＳ１００２の実行順序を定めているが、これらの実行順序は、特に制約されるものではない。つまり、ホーム基地局４は、ステップＳ１００２をＳ１００１の前に行っても良いし、ステップＳ１００１及びＳ１００２を並行して実行しても良い。
【００７１】
ステップＳ１００３では、Pmacroの測定結果及びPgpsの測定結果に基づいてセカンダリセルのP-CPICH送信電力Ptxを決定する。Ptxの計算式の具体例を以下の（２）式に示す。
Ptx = Median( Pmacro + Poffset + K1(Pgps_outdoor - Pgps),
Ptx_max, Ptx_min )  ・・・（２）
である。ここで、関数Median(A, B, C)は、引数に指定された３つの値Ａ、Ｂ及びＣの中で中央値を求める関数である。
【００７２】
（２）式中のPtx_maxはPtxの最大値である。Ptx_minは、Ptxの最小値である。Poffsetは、予め定められたオフセット値である。K1は所定の正数である。また、Pgps_outdoorの値は、ＧＰＳ信号の受信電力を屋外で測定した場合の値である。したがって、（２）式に現れる（Pgps_outdoor - Pgps)は、ホーム基地局４が設置された建物によるＧＰＳ信号の透過損失の推定値である。なお、Pgps_outdoorの値は、ホーム基地局４が設置される地域内の地上かつ屋外であれば場所に拠らずほぼ一定である。Ptx_max、Ptx_min、Poffset、K1、及びPgps_outdoorの値は、コアネットワーク８からホーム基地局４に供給されてもよい。また、これらの値は、ホーム基地局４に予め保持されてもよい。
【００７３】
また、上記の（２）式において、K1の値を2としてもよい。これにより、ＧＰＳ信号の周波数とホーム基地局４が送信するP-CPICHの周波数がほぼ同じで、これらの信号の建物透過損失がほぼ同じであると考えられるときは、ホーム基地局４から建物外に漏洩する電力はほぼ一定となる。その理由を以下に示す。建物透過損失L=Pgps_outdoor - Pgpsとし、建物が存在しない場合のPmacroをPmacro_outdoorとすると、Pmacro = Pmacro_outdoor - Lである。これにより、Ptxの最大値、最小値を無視して計算すると、Ptx = Pmacro + Poffset + 2L = Pmacro_outdoor + Poffset + Lとなる。そして、ホーム基地局４のP-CPICHが建物外に漏洩するときには、建物透過損失Lだけ減衰するため、漏洩する電力は、Pmacro_outdoor + Poffsetによって決まる。つまり、ホーム基地局４が設置された建物外へのP-CPICHの漏洩電力は、Lに関係なく一定となる。
【００７４】
なお、ＧＰＳ衛星の送信信号の周波数とホーム基地局４のダウンリンク周波数が大きく異なり、それによってこれらの信号の建物透過損失が異なる場合には、建物透過損失の差を考慮してK1を設定すればよい。
【００７５】
上述したように、本実施の形態にかかるホーム基地局４は、ホーム基地局４が設置されている建物の建物透過損失が大きいほどＧＰＳ信号の受信電力が小さくなることを利用して、建物透過損失の大きさに応じてセカンダリセルのP-CPICHの送信電力を決定する。これにより、ホーム基地局４は、建物外に漏洩する干渉を増加させずに、建物内で良好な通信品質を提供できる。
【００７６】
なお、上述した説明では、セカンダリセルのP-CPICH送信電力をＧＰＳ信号の受信電力Pgpsを用いて決定する例を示した。しかしながら、ＧＰＳ信号の受信電力を直接的に測定することなく、ＧＰＳ信号の受信電力を間接的に評価し、建物透過損失を推定することも可能である。以下では、ＧＰＳによる位置計測に要する時間、又はＧＰＳによる位置計測誤差を用いてＧＰＳ信号の受信電力を間接的に評価し、建物透過損失を推定する例について説明する。
【００７７】
（ＧＰＳの位置計測時間を用いた変形例）
当該変形例では、ホーム基地局４が有するＧＰＳ受信部４７は、ＧＰＳ信号からの信号を受信して位置計測を実行する。上述した（２）式は、以下の（３）式のように変形すればよい。（３）式は、Pgps_outdoor - Pgpsの項が他の項L(T)で置換されている。L(T)は、ＧＰＳ受信部４７が位置計測に要する時間を反映して値が決定されるパラメータである。
Ptx = Median( Pmacro + Poffset + K1×L(T), Ptx_max, Ptx_min )  ・・・（３）
【００７８】
ＧＰＳ受信部４７は、送信電力決定部４８から位置計測の指示を受けると、複数のＧＰＳ衛星から送信される複数のＧＰＳ信号（ビット系列）を受信して、ＧＰＳ衛星間のビット系列の受信タイミング差を計算する。このとき、ＧＰＳ信号の受信電力が小さい場合には、ＧＰＳ受信部４７は、長時間にわたって受信信号を積算し、所定の信頼度が得られた段階で受信タイミング差を計算し、それに基づいて位置を計測する。ＧＰＳ受信部４７は、計測した位置情報を送信電力決定部４８に通知する。送信電力決定部４８は、位置計測の指示から位置情報の通知を受けるまでに要した時間Tを計測し、その時間の長さに応じてL(T)を決定する。例えば、Tが3秒未満のときはL(T) = 0 [dB]、Tが3秒以上7秒未満のときはL(T) = 5 [dB]、Tが7秒以上のときはL(T) = 10 [dB]とする。
【００７９】
このように、所定の信頼度で位置情報を得るために要する時間Tは、ＧＰＳ信号の受信電力の大小によって変動する傾向がある。つまり、ＧＰＳ信号の受信電力が大きければ時間Tは短くなり、ＧＰＳ信号の受信電力が小さければ時間Tは長くなる傾向がある。したがって、ＧＰＳ信号の受信電力を直接測定するのに代えて、ＧＰＳ信号の受信電力が反映された時間Tを用いることによっても、ホーム基地局４が設置された建物の透過損失を間接的に推定することができる。よって（３）式を用いてセカンダリセルのP-CPICH送信電力を決定することで、建物外に漏洩する干渉を増加させずに、良好な通信品質を提供できる。
【００８０】
（ＧＰＳ位置計測誤差を用いた変形例）
次に、（２）式中のPgps_outdoor - Pgpsの項をL(E)によって置換した以下の（４）式を用いる例について説明する。L(E)は、ＧＰＳ受信部４７により計測された位置情報の誤差を反映して値が決定されるパラメータである。
Ptx = Median( Pmacro + Poffset + K1×L(E), Ptx_max, Ptx_min )  ・・・（４）
【００８１】
ＧＰＳ受信部４７は、一定時間内での位置計測の指示を送信電力決定部４８から受けると、指示された時間内で受信信号を積算し、計測された位置情報とその誤差情報を出力する。計測された位置情報及び誤差情報は、送信電力決定部４８に通知される。送信電力決定部４８は、その誤差情報に応じてL(E)を設定する。例えば、誤差Eが3メートル未満のときはL(E) = 0 [dB]、Eが3メートル以上30メートル秒未満のときはL(E) = 5 [dB]、Eが30メートル以上のときはL(E) = 10 [dB]とする。
【００８２】
このように、予め定められた一定時間内で計測可能な位置情報の精度は、ＧＰＳ信号の受信電力の大小によって変動する傾向がある。つまり、ＧＰＳ信号の受信電力が大きければ位置情報の精度が向上し、ＧＰＳ信号の受信電力が小さければ精度が低下する。したがって、ＧＰＳ信号の受信電力を直接測定するのに代えて、ＧＰＳ信号の受信電力が反映された位置計測の誤差情報を用いることによっても、ホーム基地局４が設置された建物の透過損失を間接的に推定することができる。よって（４）式を用いてセカンダリセルのP-CPICH送信電力を決定することで、建物外に漏洩する干渉を増加させずに、良好な通信品質を提供できる。
【００８３】
ところで、ホーム基地局４が受信する無線信号は、ＧＰＳ信号に限られない。ホーム基地局４は、ホーム基地局４が設置される地域内（例えば、特定国の国内等）の地上かつ屋外であれば場所に拠らず受信電力がほぼ一定とみなされる他の無線信号を受信してもよい。例えば、ホーム基地局４は、ＧＰＳ衛星以外の他の人工衛星から送信される信号を受信してもよい。
【００８４】
また、発明の実施の形態１で述べたのと同様に、電力比制御部４５が行う電力比変更処理は、ＡＳＩＣ、ＤＳＰ、マイクロプロセッサ等を用いて実現してもよい。また、送信電力決定部４８が行うセカンダリセルの送信電力を決定する処理も、ＡＳＩＣ、ＤＳＰ、マイクロプロセッサ等を用いて実現すればよい。
【００８５】
＜発明の実施の形態５＞
本実施の形態にかかるホーム基地局５は、セカンダリセルでの信号送信を開始する際に、セカンダリセルに用いる周波数チャネルを選択する。周波数チャネルの選択は、周辺セルからの信号受信結果に基づいて行われる。
【００８６】
図１７は、ホーム基地局５の構成例を示すブロック図である。図１７の構成例は、上述したホーム基地局２の変形例である。図１７中のアンテナ１０、無線通信部１１、受信データ処理部１２、有線通信部１４の機能及び動作は、図２に示した対応する構成要素と同様とすればよい。送信データ処理部２３は、上述した送信データ処理部１３が行う信号処理に加えて、送信バッファ（不図示）に蓄積された送信データ量を電力比制御部５５に通知する。
【００８７】
移動局モード受信部３６及び測定情報処理部３７の機能及び動作は、発明の実施の形態３で述べたのと同様である。ただし、移動局モード受信部３６及び測定情報処理部３７は、セカンダリセル用に割り当て可能な複数の周波数チャネル候補について計測可能である。すなわち、移動局モード受信部３６は、周辺セルを形成する他の基地局から送信される無線信号を受信する。また、測定情報処理部３７は、移動局モード受信部３６による受信結果を用いて、複数の周波数チャネル候補について周辺セルでの使用状況を評価するための計測値を算出する。
【００８８】
周波数チャネル決定部５８は、測定情報処理部３７によって得られたＲＳＣＰ、ＲＳＳＩ、Ｅｃ／Ｉｏ等の計測値を用いて、各周波数チャネル候補の周辺セルでの使用状況を評価する。そして、周波数チャネル決定部５８は、セカンダリセル用に割り当て可能な複数の周波数チャネル候補のうち、最も使用状況の低い周波数チャネル候補をセカンダリセル用として決定する。最も使用状況の低い周波数チャネル候補は、例えば、（ＲＳＳＩ − α×ＲＳＣＰ）の大きさが最も小さい周波数チャネルを選択すればよい。また、Ｅｃ／Ｉｏ又はＲＳＣＰ／ＲＳＳＩが最も大きい周波数チャネルを選択してもよい。
【００８９】
電力比制御部５５は、送信データ処理部２３から通知される送信データ量に基づいて、セカンダリセルの運用の停止／開始を判定する。具体的には、電力比制御部２５は、送信データ量が予め定められた閾値を下回る場合に、セカンダリセルによるHS-DSCH転送の停止を決定し、セカンダリセルのP-CPICH送信を停止する。また、電力比制御部５５は、セカンダリセルの運用を再開する際に、周波数チャネル決定部５８によって決定された周波数チャネルを使用する。
【００９０】
図１８は、デュアルセル運用中にセカンダリセルの利用停止と再開を行う手順の一例を示すシーケンス図である。ステップＳ１１０１〜Ｓ１１０４は、上述した図４のステップＳ１０１〜１０４と同様である。ステップＳ１１０５では、電力比制御部５５が送信データ量を測定する。
【００９１】
ステップＳ１１０６は、送信データ量が閾値を下回る場合を示している。すなわち、電力比制御部５５は、セカンダリセルでのデータ送信（HS-DSCH転送）の停止を判定する。ステップＳ１１０７では、電力比制御部５５が、HS-SCCH ORDER又はRRC MESSAGEを用いて移動局６にセカンダリセルの無効化（deactivation）を通知する。その後、電力比制御部５５は、セカンダリセルのP-CPICHの送信を停止させる。ステップＳ１１０８〜Ｓ１１０９では、プライマリセルにてP-CPICH及びHSDPAに関する物理チャネル群が送信される。
【００９２】
ステップＳ１１１０では、電力比制御部５５が送信データ量を測定する。ステップＳ１１１１は、送信データ量が閾値を上回る場合を示している。すなわち、電力比制御部５５は、セカンダリセルでのデータ送信（HS-DSCH転送）の開始を判定する。ステップＳ１１１２では、移動局モード受信部３６が周辺セルからの信号を受信する。ステップＳ１１１３では、周波数チャネル決定部５８が、周辺セルでの使用状況が最も低い周波数チャネル候補をセカンダリセル用として決定する。
【００９３】
ステップＳ１１１４〜Ｓ１１１５では、プライマリセルのP-CPICH及びHSDPAに関する物理チャネル群が送信される。ステップＳ１１１６では、新たに決定された周波数チャネルを用いてセカンダリセルのP-CPICHが送信される。セカンダリセルのP-CPICHの送信再開から所定時間（図１８ではＴ１）経過した後に、電力比制御部５５は、RCC MESSAGE (Secondary cell Configuration)を用いて、周波数チャネルの変更を含む新たな構成情報を送信する（ステップＳ１１１７）。ここで、RCC MESSAGEは、ホーム基地局１から移動局６に、セカンダリセルの構成情報を通知するために使用されるコマンドである。なお、新たに決定されたセカンダリセル用の周波数チャネルが、セカンダリセルの運用停止前に使用されていた周波数チャネルと同一である場合には、RCC MESSAGEを用いることなく、HS-SCCH ORDERでセカンダリセルの有効化を移動局６に通知すればよい。
【００９４】
最後に、ステップＳ１１１８では、セカンダリセルにてHSDPAに関する物理チャネル群が送信される。
【００９５】
図１９及び２０は、ホーム基地局５によって実行されるセカンダリセルの利用停止／再開手順の一例を示すフローチャートである。ステップＳ１２０１では、電力比制御部５５は、HS-PDSCHで送信される送信データ量Ｄ＿ＴＸを測定する。ステップＳ１１０２では、電力比制御部５５は、送信データ量Ｄ_ＴＸが閾値Ｄ＿ＴＨを下回るか否かを判定する。送信データ量Ｄ_ＴＸが閾値Ｄ＿ＴＨを下回る場合、電力比制御部５５は、セカンダリセルでのHS-PDSCHによるデータ送信を停止する（ステップＳ１２０３）。さらに、電力比制御部５５は、セカンダリセルの無効化を移動局６に通知し（ステップＳ１２０４）、セカンダリセルのP-CPICH送信を停止する（ステップＳ１２０５）。
【００９６】
一方、送信データ量Ｄ_ＴＸが閾値Ｄ＿ＴＨを上回る場合（ステップＳ１２０２でＮＯ）、電力比制御部５５はデュアルセル運用中であるか否かを判定する（ステップＳ１２０６）。デュアルセル運用中である場合（ステップＳ１２０６でＹＥＳ）、電力比制御部５５は、ステップＳ１２０１に戻る。
【００９７】
デュアルセル運用中でない場合（ステップＳ１２０６でＮＯ）、移動局モード受信部３６は、周辺セルからの信号を受信する（ステップＳ１２０７）。ステップＳ１２０８では、周波数チャネル決定部５８は、使用状況の最も低い周波数チャネルをセカンダリセル用として選択する。
【００９８】
ステップＳ１２０９では、電力比制御部５５は、周波数チャネル決定部５８から通知された周波数チャネルがセカンダリセル運用停止前の周波数チャネルと同一であるか否かを判定する。セカンダリセルの運用停止前後の周波数チャネルが同一である場合（ステップＳＳ１２０９でＹＥＳ）、電力比制御部５５は、セカンダリセルのP-CPICHの送信を開始させ、セカンダリセルの有効化をHS-SCCH ORDER又はRRC MESSAGEを用いて移動局６に通知し、セカンダリセルのHS-PDSCHを用いたデータ送信を開始させる（ステップＳ１２１０〜Ｓ１２１２）。セカンダリセルの運用停止前後の周波数チャネルが同一でない場合（ステップＳＳ１２０９でＮＯ）、電力比制御部５５は、セカンダリセルのP-CPICHの送信を開始させ、セカンダリセルの有効化及び周波数チャネル変更をRRC MESSAGEを用いて移動局６に通知し、セカンダリセルのHS-PDSCHを用いたデータ送信を開始させる（ステップＳ１２１３〜Ｓ１２１５）。
【００９９】
図２１は、セカンダリセルの有効化／無効化の切り替えに伴う移動局６の動作を示すフローチャートである。ステップＳ１３０１では、受信制御部６４が、セカンダリセルに関する制御情報の受信有無を判定する。セカンダリセルの「無効化」を示す制御情報を受信した場合、受信制御部６４は、受信データ処理部１２によるセカンダリセルの受信を停止させる（ステップＳ１３０２）。一方、セカンダリセルの「有効化」を示す制御情報を受信した場合、受信制御部６４は、セカンダリセルの周波数チャネルの変更有無を判定する（ステップＳ１３０３）。セカンダリセルの周波数チャネルの変更有無は、ホーム基地局５から受信したコマンドが、RRC MESSAGE (secondary cell configuration)であるか、又はHS-SCCH ORDER (activation)若しくはRRC MESSAGE (activation)であるかによって判定可能である。受信制御部６４は、ホーム基地局５の指示に対応した周波数チャネル設定を用いて受信データ処理部１２にセカンダリセルの受信を開始させる（ステップＳ１３０４又はＳ１３０５）。
【０１００】
上述したように、本実施の形態にかかるホーム基地局５は、セカンダリセルの運用を再開する際に、利用可能な周波数チャネル候補の中で周辺セルでの使用状況が最も低い１つの候補を探索し、これをセカンダリセル用の周波数チャネルとして使用する。このため、セカンダリセルから周辺セルへの干渉によって周辺セルの通信品質が低下することを抑制できる。
【０１０１】
なお、発明の実施の形態１で述べたのと同様に、電力比制御部５５が行う電力比変更処理は、ＡＳＩＣ、ＤＳＰ、マイクロプロセッサ等を用いて実現してもよい。また、周波数チャネル決定部５８が行うセカンダリセル用の周波数チャネルを決定する処理も、ＡＳＩＣ、ＤＳＰ、マイクロプロセッサ等を用いて実現すればよい。
【０１０２】
＜その他の実施の形態＞
【０１０３】
上述した発明の実施の形態１〜５では、ホーム基地局１〜５が形成するセカンダリセルの数が１つであるとして説明を行った。しかしながら、ホーム基地局１〜５は複数のセカンダリセルを形成してもよい。ホーム基地局１〜５は、少なくとも１つのセカンダリセルを形成し、少なくとも１つのセカンダリセルに含まれる少なくとも１つのセルとプライマリセルとの送信電力比を変更可能であればよい。
【０１０４】
上述した発明の実施の形態１〜５では、Ｗ−ＣＤＭＡ方式のＤＣ−ＨＳＤＰＡをサポートする基地局に本発明を適用する場合について説明した。しかしながら、本発明の適用先は、Ｗ−ＣＤＭＡ方式のＤＣ−ＨＳＤＰＡをサポートする基地局に限定されるものではない。つまり、周波数チャネルの異なる少なくとも２つのセルを使用し、２つのセルの各々でデータ送信用の物理チャネルを送信することで移動局と通信を行う基地局であれば、下りチャネルの多重アクセス方式がＣＤＭＡであるか否かにかかわらず、本発明は適用可能である。上述したＷ−ＣＤＭＡ方式のＤＣ−ＨＳＤＰＡであれば、データ送信用の各物理チャネルは直交コード（チャネライゼイションコード）の違いによって識別される。一方、ＷｉＭＡＸ及びＬＴＥのように下りチャネルの多重アクセス方式にＯＦＤＭＡ（Orthogonal Frequency Division Multiplexing Access）を採用する基地局であれば、データ送信用の各物理チャネルはトーン（サブキャリア）の違いによって識別される。
【０１０５】
また、発明の実施の形態１〜５は、適宜組み合わせることも可能である。さらに、本発明は上述した実施の形態のみに限定されるものではなく、既に述べた本発明の要旨を逸脱しない範囲において種々の変更が可能であることは勿論である。
【０１０６】
この出願は、２００８年１１月２６日に出願された日本出願特願２００８−３００８７５を基礎とする優先権を主張し、その開示の全てをここに取り込む。
【符号の説明】
【０１０７】
１、２、３、４、５  ホーム基地局
６  移動局
７  ホームゲートウェイ（ホームＧＷ）
８  コアネットワーク
１０  アンテナ
１１  無線通信部
１２  受信データ処理部
１３、２３  送信データ処理部
１４  有線通信部
１５、２５、３５、４５、５５  電力比制御部
３６、４６  移動局モード受信部
３７  測定情報処理部
４７  ＧＰＳ受信部
４８  送信電力決定部
５８  周波数チャネル決定部
６０  アンテナ
６１  無線通信部
６２  受信データ処理部
６３  送信データ処理部
６４  受信制御部
６５  送信データ制御部
【図１】
0005578082.tif 000002
【図２】
0005578082.tif 000003
【図３】
0005578082.tif 000004
【図４】
0005578082.tif 000005
【図５】
0005578082.tif 000006
【図６】
0005578082.tif 000007
【図７】
0005578082.tif 000008
【図８】
0005578082.tif 000009
【図９】
0005578082.tif 000010
【図１０】
0005578082.tif 000011
【図１１】
0005578082.tif 000012
【図１２】
0005578082.tif 000013
【図１３】
0005578082.tif 000014
【図１４】
0005578082.tif 000015
【図１５】
0005578082.tif 000016
【図１６】
0005578082.tif 000017
【図１７】
0005578082.tif 000018
【図１８】
0005578082.tif 000019
【図１９】
0005578082.tif 000020
【図２０】
0005578082.tif 000021
【図２１】
0005578082.tif 000022
【図２２】
0005578082.tif 000023
【図２３Ａ】
0005578082.tif 000024
【図２３Ｂ】
0005578082.tif 000025